(57)【要約】【課題】ユーザがより注視する画面の映像品位の低下を抑制する。【解決手段】取得部（１２）と、フレームレート設定部（１３）とを備えた映像処理装置（１０）であって、取得部（１２）は、複数の映像信号を取得し、フレームレート設定部（１３）は、映像を同一画面に表示させる場合、何れかのフレーム間隔に対応するフレームレート、又は、当該フレームレートを定数倍して得られるフレームレートに設定する。【選択図】図１
2019186767.tif 000002
【特許請求の範囲】
【請求項１】
取得部と、フレームレート設定部とを備えた映像処理装置であって、
上記取得部は、フレーム間隔が変動し得る第１の映像信号と、フレーム間隔が変動しない第２の映像信号とを含む複数の映像信号を取得し、
上記フレームレート設定部は、上記複数の映像信号の示す映像を同一画面に表示させる場合のフレームレートを、上記複数の映像信号が示す何れかのフレーム間隔に対応するフレームレート、又は、当該フレームレートを定数倍して得られるフレームレートに設定する
ことを特徴とする映像処理装置。
【請求項２】
上記フレームレート設定部は、
上記第２の映像信号のフレームレートが所定の閾値に満たない場合、
上記複数の映像信号の示す映像を同一画面に表示させる場合のフレームレートを、
上記第１の映像信号のフレームレート、又は予め設定された所定のフレームレートに設定する
ことを特徴とする請求項１に記載の映像処理装置。
【請求項３】
上記フレームレート設定部は、
上記第２の映像信号のフレームレートが所定の閾値に満たない場合、
上記複数の映像信号の示す映像を同一画面に表示させる場合のフレームレートを、
当該フレームレートを定数倍して得られるフレームレートであって、上記閾値以上となるフレームレートに設定する
ことを特徴とする請求項１に記載の映像処理装置。
【請求項４】
上記フレームレート設定部は、
上記複数の映像信号の示す映像を同一画面に表示させた場合の、各映像が画面に占める面積比に応じて、設定するフレームレートを決定する
ことを特徴とする請求項１に記載の映像処理装置。
【請求項５】
上記フレームレート設定部は、
上記複数の映像信号の示す映像を同一画面に表示させる場合のフレームレートを、
現時点においてユーザの操作対象である画面に対応する映像信号のフレームレートに設定する
ことを特徴とする請求項１に記載の映像処理装置。
【請求項６】
上記フレームレート設定部は、
上記複数の映像信号にフレーム間隔が変動しない映像信号が複数含まれる場合に、
上記複数の映像信号の示す映像を同一画面に表示させる場合のフレームレートを、
上記フレーム間隔が変動しない映像信号のうち、最も高いフレームレートを有する映像信号のフレームレートに設定する
ことを特徴とする請求項１に記載の映像処理装置。
【請求項７】
上記フレームレート設定部は、
上記複数の映像信号の一部又は全部が示す映像が、複数の映像信号に対応する結合映像を構成する場合に、
上記複数の映像信号の示す映像を同一画面に表示させる場合のフレームレートを、
上記結合映像に対応する何れかの映像信号のフレームレートに設定する
ことを特徴とする請求項１に記載の映像処理装置。
【請求項８】
装置によって実行される映像処理方法であって、
フレーム間隔が変動し得る第１の映像信号と、フレーム間隔が変動しない第２の映像信号とを含む複数の映像信号を取得する取得ステップと、
上記複数の映像信号の示す映像を同一画面に表示させる場合のフレームレートを、上記複数の映像信号が示す何れかのフレーム間隔に対応するフレームレート、又は、当該フレームレートを定数倍して得られるフレームレートに設定するフレームレート設定ステップと、
を含むことを特徴とする映像処理方法。
【請求項９】
請求項１から７までの何れか１項に記載の映像処理装置を備えていることを特徴とするテレビジョン受像機。
【請求項１０】
請求項１から７までの何れか１項に記載の映像処理装置としてコンピュータを機能させるための制御プログラムであって、上記取得部及び上記フレームレート設定部としてコンピュータを機能させるための制御プログラム。
【請求項１１】
請求項１０に記載の制御プログラムを記録したコンピュータ読み取り可能な記録媒体。
【発明の詳細な説明】
【技術分野】
【０００１】
本発明の一様態は、映像処理装置、映像処理方法、テレビジョン受像機、制御プログラム、及び記録媒体に関する。
【背景技術】
【０００２】
従来、表示装置の表示画面の一部又は全部に、上記表示装置自体、又は上記表示装置に接続された外部機器の設定メニュー等を適宜重畳して表示するＯＳＤ（On Screen Display）という機能が従来技術として知られている。また、フレーム間隔が変動し得る、可変フレームレートの映像信号を入出力可能な機器が従来技術として知られている。
【０００３】
以下の特許文献１では、フレームレートの異なる動画等を合成表示することのできる映像表示装置が開示されている。
【先行技術文献】
【特許文献】
【０００４】
【特許文献１】特許３９６１６９３号公報（２０００年４月７日公開）
【発明の概要】
【発明が解決しようとする課題】
【０００５】
しかしながら、上述のような従来技術は、例えばディスプレイの表示画面に、当該ディスプレイ自体の設定画面を重畳して表示させた場合に、ユーザが注視する当該設定画面の映像フレームの一部が欠落し、映像品位が低下する場合がある。
【０００６】
本発明の一態様は、上記の問題に鑑みてなされたものであり、ユーザがより注視する画面の映像品位の低下を抑制することを目的とする。
【課題を解決するための手段】
【０００７】
上記の課題を解決するために、本発明の一態様に係る映像処理装置は、取得部と、フレームレート設定部とを備えた映像処理装置であって、上記取得部は、フレーム間隔が変動し得る第１の映像信号と、フレーム間隔が変動しない第２の映像信号とを含む複数の映像信号を取得し、上記フレームレート設定部は、上記複数の映像信号の示す映像を同一画面に表示させる場合のフレームレートを、上記複数の映像信号が示す何れかのフレーム間隔に対応するフレームレート、又は、当該フレームレートを定数倍して得られるフレームレートに設定する。
【発明の効果】
【０００８】
本発明の一態様によれば、ユーザがより注視する画面の映像品位の低下を抑制することができる。
【図面の簡単な説明】
【０００９】
【図１】実施形態１に係るテレビジョン受像機の機能ブロック図である。
【図２】可変フレームレートの第１の映像信号と、固定フレームレートの第２の映像信号とが示す映像を、同一画面に表示させた場合の各フレームの表示例を示す図である。
【図３】実施形態１の処理の流れを示すフローチャートである。
【図４】可変フレームレートの第１の映像信号と、固定フレームレートの第２の映像信号及び第３の映像信号とが示す映像を、同一画面に表示させた場合の各フレームの表示例を示す図である。
【図５】フレームレートの設定例３及び４における処理の流れを示すフローチャートである。
【図６】フレームレートの設定例５における処理の流れを示すフローチャートである。
【図７】実施形態２における処理の流れを示すフローチャートである。
【図８】実施形態２に係る画面の表示例を示す図である。
【図９】実施形態３に係る画面の表示例を示す図である。
【図１０】表示されている何れかの画面がユーザの操作対象である場合の例を示す図である。
【発明を実施するための形態】
【００１０】
本発明の実施形態について図１〜図１０を参照して説明すれば以下の通りである。
【００１１】
〔実施形態１〕
以下、本発明の一実施形態について、図１〜図３を参照して説明する。本実施形態においては、複数の映像信号が示す各映像を、同一の画面に表示させる場合におけるフレームレートの設定例について説明する。なお、本明細書においては、上述した場合におけるフレームレートを、共通フレームレートと適宜呼称する。
【００１２】
（テレビジョン受像機１の構成）
図１は、本実施形態に係るテレビジョン受像機１の機能ブロック図である。図１に示す通り、テレビジョン受像機１は、映像処理装置１０、テレビ制御部２、ＯＳＤ生成部４、及び表示部５を備える。
【００１３】
映像処理装置１０は、入力された複数の映像信号を同一画面に表示させる場合の映像信号を供給する装置であって、装置制御部１１を備える。
【００１４】
装置制御部１１は、映像処理装置１０全体を統括する制御装置であって、取得部１２及びフレームレート設定部１３としても機能する。また、装置制御部１１は、入力される映像信号が示す映像を重畳、又は一画面の映像に統合する機能を有し、且つ、入力される映像信号のフレームレートを計測する機能を有していてもよい。或いは複数の映像信号を重畳、又は一画面の映像に統合する処理は、テレビ制御部２が行う構成でもよい。
【００１５】
取得部１２は、映像信号の取得を行う。本実施形態において、取得部１２は、フレーム間隔が変動し得る、つまり可変フレームレートの第１の映像信号と、フレーム間隔が変動しない、つまり固定フレームレートの第２の映像信号とを取得する。フレームレート設定部１３は、上記複数の映像信号が示す映像を同一画面に表示させる場合のフレームレートを設定する。
【００１６】
なお、入力される映像信号が単数である場合、映像処理装置１０は、フレームレートに関する新たな設定を別途行わず当該映像信号をそのまま出力してもよい。
【００１７】
テレビ制御部２は、テレビジョン受像機１全体を統括する制御装置であって、表示制御部３としても機能する。表示制御部３は、表示部５による表示処理に係る処理を行う。
【００１８】
ＯＳＤ生成部４は、ＯＳＤ画面の生成を行う。ＯＳＤ画面の一例としては、テレビジョン受像機１の明るさ等を設定する設定画面であって、表示部５の一部に表示される設定画面等が挙げられる。
【００１９】
なお、上述の記載は、当該設定画面が表示部５の全部に表示されることを妨げない。また、当該設定画面を示す映像信号は、上述した第２の映像信号に相当する。また、ユーザは、図１には図示しない、テレビジョン受像機１のボタン、又はリモコン等を操作して、当該設定画面の操作を行う。表示部５は、動画像を表示する表示パネルである。なお、本明細書において画面とは、表示部５の一部の表示領域を意味する場合もあるし、表示部５の画面全体を意味する場合もあるものとする。
【００２０】
映像出力装置１００は、映像信号を出力するゲーム機等の装置である。なお、映像出力装置１００が出力する映像信号は、フレーム間隔が、例えば内蔵するＧＰＵ処理の負荷等の要因によって変動し得る。また、当該映像信号は、映像出力装置１００が生成してもよい。
【００２１】
なお、テレビジョン受像機１が備える各部材は、単数であることに限定されず、複数の当該部材を備える構成でもよい。
【００２２】
（フレームレートの設定例１）
以下、本実施形態の基本となる共通フレームレートの設定例であって、複数の映像信号の示す映像を同一画面に表示させる場合における共通フレームレートの設定例について、図２を参照して説明する。
【００２３】
図２の各図は、可変フレームレートの第１の映像信号と、固定フレームレートの第２の映像信号とが示す映像を、同一画面に表示させた場合の各フレームの表示例を示す図である。図２の各図において、Video1 inは第１の映像信号に対応し、Video2 inは第２の映像信号に対応する。また、Displayは、表示部５に対応する。また、横軸は時間を表し、点線は、ディスプレイが固定リフレッシュレートで画面を表示させた場合のリフレッシュ間隔を表す。図２（ａ）は、入力される映像信号の各フレーム間隔が、ディスプレイのリフレッシュ間隔よりも小さい場合における各フレームの表示例を示す図である。図２（ａ）は、映像を表示させた場合に、各フレームに欠落が無く、遅延も生じていない理想的な状態を示している。
【００２４】
図２（ｂ）は、入力される第１の映像信号のフレーム間隔の一部が、ディスプレイのリフレッシュ間隔よりも大きくなった場合であって、第１の映像信号のフレームレートを、共通フレームレートに設定した場合における各フレームの表示例を示す図である。なお、可変フレームレートの映像信号のフレームレートを共通フレームレートにする場合、ディスプレイは可変的なタイミングで走査を行う機能を有するものとし、以下同様とする。
【００２５】
図２（ｂ）に示す例においては、第１の映像信号のフレーム５の読み込みが終了した時点で第２の映像信号のフレームＦの読み込みが終了しており、フレーム５とフレームＦが同時に表示されることによりフレームＥが欠落する。
【００２６】
図２（ｃ）は、入力される第１の映像信号のフレーム間隔の一部が、ディスプレイのリフレッシュ間隔よりも大きくなった場合であって、第２の映像信号のフレームレートを共通フレームレートに設定した場合における各フレームの表示例を示す図である。
【００２７】
図２（ｃ）に示す例においては、第１の映像信号に由来するフレームにはラグ、つまり遅延が生じているが、第２の映像信号に由来するフレームには、ラグも欠落も生じていない。例えば、第２の映像信号が示す映像が、ディスプレイの設定画面である場合、当該設定画面はユーザの所定の操作に起因して表示され、ユーザは、当該設定画面を他の表示領域よりも注視するものと推定される。図２（ｃ）に示す構成によって、ユーザが注視すると推定される映像であって第２の映像信号が示す映像の映像品位の低下を抑制できる。
【００２８】
（処理の流れ）
図１の構成を用いた本実施形態における処理の流れについて、図１〜図３を参照してステップごとに説明する。図３は、本実施形態の処理の流れを示すフローチャートである。
【００２９】
（Ｓ１０１）
ステップＳ１０１において、取得部１２は、各映像信号を取得する。具体的には、取得部１２は、映像出力装置１００から、映像出力装置１００が出力する第１の映像信号であって、フレーム間隔が変動し得る第１の映像信号を取得し、ＯＳＤ生成部４が生成した、ＯＳＤ画面を示す第２の映像信号であって、固定フレームレートの第２の映像信号を取得する。
【００３０】
（Ｓ１０２）
続いて、ステップＳ１０２において、フレームレート設定部１３は、ステップＳ１０１において取得部１２が取得した各映像信号の共通フレームレートを、図２（ｃ）に示すように、第２の映像信号のフレームレートに設定する。
【００３１】
（Ｓ１０３）
続いて、ステップＳ１０３において、装置制御部１１は、各映像信号が示す映像を同一画面に表示させた映像を示す映像信号をテレビ制御部２に供給する。
【００３２】
（Ｓ１０４）
続いて、ステップＳ１０４において、表示制御部３は、ステップＳ１０３において装置制御部１１から供給された映像信号が示す映像を表示部５に表示させる。
【００３３】
以上が、図３のフローチャートに基づく処理の流れである。上記の構成によれば、ユーザがより注視する画面の映像品位の低下を抑制することができる。
【００３４】
以上が、図３のフローチャートに基づく処理の流れである。
【００３５】
このように、映像処理装置１０は、取得部１２と、フレームレート設定部１３とを備えた映像処理装置１０であって、取得部１２は、フレーム間隔が変動し得る第１の映像信号と、フレーム間隔が変動しない第２の映像信号とを含む複数の映像信号を取得し、フレームレート設定部１３は、上記複数の映像信号の示す映像を同一画面に表示させる場合のフレームレートを、上記複数の映像信号が示す何れかのフレーム間隔に対応するフレームレートに設定する。また、後述するように、映像処理装置１０は、上記複数の映像信号の示す映像を同一画面に表示させる場合のフレームレートを、当該フレームレートを定数倍して得られるフレームレートに設定する構成としてもよい。上記の構成によれば、ユーザがより注視する画面の映像品位の低下を抑制することができる。
【００３６】
（フレームレートの設定例２）
以下、共通フレームレートの第２の設定例であって、映像処理装置１０に、複数の固定フレームレートの映像信号が入力される場合の共通フレームレートの設定例について説明する。なお、本例及び以降のフレームレートの設定例において説明する、上記共通フレームレートを設定する処理は、上述のステップＳ１０２の処理に相当する。また、本例に係る取得部１２は、第１の映像信号及び第２の映像信号に加え、固定フレームレートの第３の映像信号を取得する。なお、第３の映像信号の取得元は、テレビジョン受像機１の内部と外部とのどちらでもよい。
【００３７】
図４の各図は、可変フレームレートの第１の映像信号と、固定フレームレートの第２の映像信号及び第３の映像信号とが示す映像を、同一画面に表示させた場合の各フレームの表示例を示す図である。図４の各図において、Video3 inは、第３の映像信号に対応する。
【００３８】
図４（ａ）は、各映像信号の共通フレームレートを、第１の映像信号のフレームレートに設定した場合における各フレームの表示例を示す図である。図４（ａ）に示す例においては、第３の映像信号のフレームｅが欠落している。図４（ｂ）は、共通フレームレートを、第２の映像信号のフレームレートに設定した場合における各フレームの表示例を示す図である。図４（ｂ）に示す例においては、第１の映像信号のフレーム２及び３、並びに第３の映像信号のフレームa、ｃ及びeが欠落している。
【００３９】
図４（ｃ）は、共通フレームレートを、第３の映像信号のフレームレート、換言すると、固定フレームレートの映像信号のうち、最も高いフレームレートを有する映像信号のフレームレートに設定した場合における各フレームの表示例を示す図である。図４（ｃ）に示す例においては、第１の映像信号にラグが生じているものの、固定フレームレートの第２の映像信号及び第３の映像信号は、安定した表示が行われる。ここで、第２の映像信号においては、映像処理装置１０に入力されるフレーム間隔通りの表示が行われ、ラグは生じていない。
【００４０】
ユーザが固定フレームレートの映像信号が示す映像を注視すると推定される場合、図４（ｃ）のように、固定フレームレートの映像信号のうち、最も高いフレームレートを有する映像信号のフレームレートに設定してもよい。
【００４１】
換言すると、フレームレート設定部１３は、複数の映像信号にフレーム間隔が変動しない映像信号が複数含まれる場合に、上記複数の映像信号の示す映像を同一画面に表示させる場合のフレームレートを、上記フレーム間隔が変動しない映像信号のうち、最も高いフレームレートを有する映像信号のフレームレートに設定してもよい。
【００４２】
上記の構成によれば、フレーム間隔が変動しない映像信号が示す映像の映像品位の低下を抑制できる。
【００４３】
（フレームレートの設定例３）
以下、共通フレームレートの第３の設定例について、図１及び図５を参照して説明する。本例においては、共通フレームレートを所定の閾値以上に設定する構成について説明する。
【００４４】
本例における処理の流れについて、図１及び図５を参照してステップごとに説明する。図５（ａ）は、本例における処理の流れを示すフローチャートである。以下、可変フレームレートの第１の映像信号が示す映像の表示中に、固定フレームレートの第２の映像信号が示すＯＳＤ画面を表示する場合を想定して説明を行う。
【００４５】
（Ｓ１０１）
ステップＳ１０１において、取得部１２は、各映像信号を取得する。具体的には、取得部１２は、映像出力装置１００から、映像出力装置１００が出力する第１の映像信号であって、フレーム間隔が変動し得る第１の映像信号を取得し、ＯＳＤ生成部４が生成した、ＯＳＤ画面を示す第２の映像信号であって、固定フレームレートの第２の映像信号を取得する。本ステップの処理が実行されたのち、続いて、ステップＳ２０２の処理が実行される。
【００４６】
（Ｓ２０２）
続いて、ステップＳ２０２においては、装置制御部１１が、第２の映像信号のフレームレートの周波数の値であるｎが所定の閾値Ｎ以上であるか否かを判定する。ここで、ｎ及びＮは１以上の整数である。第２の映像信号のフレームレートｎが閾値Ｎ以上である場合、続いてステップＳ２０３の処理が実行され、閾値Ｎに満たない場合、続いてステップＳ２０４の処理が実行される。
【００４７】
（Ｓ２０３）
ステップＳ２０３においては、フレームレート設定部１３が、第１の映像信号及び第２の映像信号の共通フレームレートを、第２の映像信号のフレームレートに設定する。本ステップの処理が実行されたのち、続いてステップＳ１０３の処理が実行される。
【００４８】
（Ｓ２０４）
ステップＳ２０４においては、フレームレート設定部１３が、第１の映像信号及び第２の映像信号の共通フレームレートを、引き続き第１の映像信号のフレームレートに設定する。本ステップの処理が実行されたのち、続いてステップＳ１０３の処理が実行される。
【００４９】
（Ｓ１０３）
続いて、ステップＳ１０３において、装置制御部１１は、各映像信号が示す映像を同一画面に表示させた映像を示す映像信号をテレビ制御部２に供給する。
【００５０】
（Ｓ１０４）
続いて、ステップＳ１０４において、表示制御部３は、ステップＳ１０３において装置制御部１１から供給された映像信号が示す映像を表示部５に表示させる。
【００５１】
（フレームレートの設定例４）
フレームレートの設定例３において上述した処理の流れにおいて、図５（ｂ）に示すように、ステップＳ２０４に代わり、以下のステップＳ２０５が実行される構成でもよい。
【００５２】
（Ｓ２０５）
ステップＳ２０５においては、フレームレート設定部１３が、第１の映像信号及び第２の映像信号の共通フレームレートを、事前に設定された所定の固定フレームレートに設定する。そして装置制御部１１は、第１の映像信号及び第２の映像信号が示す映像を同一画面に表示させる場合の映像を示す映像信号をテレビ制御部２に供給する。本ステップの処理が実行されたのち、続いてステップＳ１０３の処理が実行される。
【００５３】
フレームレートの設定例３及び４において上述したように、フレームレート設定部１３は、第２の映像信号のフレームレートが所定の閾値に満たない場合、複数の映像信号の示す映像を同一画面に表示させる場合のフレームレートを、第１の映像信号のフレームレート、又は予め設定された所定のフレームレートに設定してもよい。
【００５４】
上記の構成によれば、上記閾値以上のフレームレートによって映像が表示されるので、過剰なフレームレートの低下による映像品位の低下を抑制できる。
【００５５】
（フレームレートの設定例５）
フレームレートの設定例３において上述した処理の流れにおいて、図６に示すように、ステップＳ２０４に代わり、以下のステップＳ２０６及びステップＳ２０７が実行される構成でもよい。
【００５６】
図６は、本例における処理の流れを示すフローチャートである。
【００５７】
（Ｓ２０６）
ステップＳ２０６において、フレームレート設定部１３は、第２の映像信号のフレームレートｎ及び所定の閾値Ｎに関して、ｋ・ｎ＞＝Ｎを満たす最小のｋの値を算出する。なおｋは２以上の整数である。
【００５８】
（Ｓ２０７）
続いてステップＳ２０７において、フレームレート設定部１３は、第１の映像信号及び第２の映像信号の共通フレームレートを、ステップＳ２０６におけるｋ・ｎの値に設定する。本ステップの処理が実行されたのち、続いてステップＳ１０３の処理が実行される。
【００５９】
このように、フレームレート設定部１３は、第２の映像信号のフレームレートが所定の閾値に満たない場合、複数の映像信号の示す映像を同一画面に表示させる場合のフレームレートを、当該フレームレートを定数倍して得られるフレームレートであって、上記閾値以上となるフレームレートに設定してもよい。
【００６０】
上記の構成によれば、上記閾値以上のフレームレートによって映像が表示されるので、過剰なフレームレートの低下による映像品位の低下を抑制できる。
【００６１】
〔実施形態２〕
本発明の第２の実施形態について、図１、図７及び図８を参照して説明する。本実施形態においては、共通フレームレートを、各映像信号が示す映像の面積比に応じて設定する構成について説明する。なお便宜上、上記実施形態にて説明した部材と同じ機能を有する部材については、同じ符号を付記し、説明を省略する。
【００６２】
（テレビジョン受像機１の構成）
本実施形態においても図１に示す構成を用いる。ただし、本実施形態に係る装置制御部１１は、入力される複数の映像信号の示す映像を同一画面に表示させる場合における、各映像が画面に占める面積比を算出する機能を有する。
【００６３】
（処理の流れ）
本実施形態における処理の流れについて、図１、図７及び図８を参照してステップごとに説明する。図７は、本実施形態における処理の流れを示すフローチャートである。
【００６４】
（Ｓ１０１）
ステップＳ１０１においては、実施形態１と同様の処理が実行される。本ステップの処理が実行されたのち、続いて、ステップＳ３０２の処理が実行される。
【００６５】
（Ｓ３０２）
続いて、ステップＳ３０２において、装置制御部１１は、ステップＳ１０１において取得部１２が取得した第１の映像信号及び第２の映像信号が示す映像を同一画面に表示させる場合における、各映像が画面に占める面積比を算出する。なお、装置制御部１１が当該面積比を算出する方法は、特定の方法に限定されない。例えば、装置制御部１１は、各映像信号に含まれるメタデータ、又は、各映像信号に付随して取得する映像信号を参照し、当該面積比を算出してもよい。
【００６６】
（Ｓ３０３）
続いて、ステップＳ３０３において、装置制御部１１は、ステップＳ３０２において算出した、各映像が画面に占める面積比を比較し、何れの映像の面積比が大きいかを判定する。
図８の各図は、本実施形態に係る画面の表示例を示す図である。図８の各図において、Video1は、第１の映像信号が示す映像を対応し、Video2は、第２の映像信号が示す映像に対応する。図８の各図に示すように、各映像の画面の形状は必ずしも矩形でなくともよい。
【００６７】
第１の映像信号が示す映像の面積比が、第２の映像信号が示す映像の面積比よりも大きい場合は、続いてステップＳ３０４の処理が実行され、第２の映像信号が示す映像の面積比の方が大きい場合は、続いてステップＳ３０５の処理が実行される。
なお、各映像の面積比が等しい場合には、続いてステップＳ３０４とステップＳ３０５との何れのステップの処理が実行されてもよい。
【００６８】
（Ｓ３０４）
ステップＳ３０４において、フレームレート設定部１３は、第１の映像信号及び第２の映像信号の共通フレームレートを、第１の映像信号のフレームレートに設定する。そして装置制御部１１は、第１の映像信号及び第２の映像信号が示す映像を同一画面に表示させる場合の映像を示す映像信号をテレビ制御部２に供給する。
【００６９】
（Ｓ３０５）
ステップＳ３０５において、フレームレート設定部１３は、第１の映像信号及び第２の映像信号の共通フレームレートを、第２の映像信号のフレームレートに設定する。
【００７０】
（Ｓ１０３及びＳ１０４）
ステップＳ１０３及びステップＳ１０４においては、実施形態１と同様の処理が実行される。
【００７１】
このように、フレームレート設定部１３は、複数の映像信号の示す映像を同一画面に表示させた場合の、各映像が画面に占める面積比に応じて、設定するフレームレートを決定してもよい。
【００７２】
上記の構成によれば、面積比が大きい、メインとなる画面の映像品位の低下を抑制できる。
【００７３】
〔実施形態３〕
本実施形態においては、共通フレームレートを、複数の画面あるいは映像からなる結合映像に対応する映像信号のフレームレートに設定する構成について説明する。なお便宜上、上記実施形態にて説明した部材と同じ機能を有する部材については、同じ符号を付記し、説明を省略する。
【００７４】
本実施形態においても図１に示す構成を用いる。ただし、本実施形態に係る取得部１２は、第１〜第５の映像信号を取得する。ここで、第２〜第５の映像信号のフレームレートは同一であるものとする。また、第１〜第５の映像信号の取得元はテレビジョン受像機１の内部と外部とのどちらでもよい。
【００７５】
図９は、本実施形態に係る画面の表示例を示す図である。映像５１〜５５は、それぞれ第１〜第５の映像信号に対応する。また、映像５２〜５５は、１つの結合映像を構成する。換言すると、上述した結合映像を分割した左上、右上、左下及び右下の部分の映像が、それぞれ第２、第３、第４及び第５の映像信号に対応する。
【００７６】
上記の場合において、フレームレート設定部１３は、第１〜第５の映像信号の示す映像を同一画面に表示させる場合の共通フレームレートを、当該結合映像に対応する映像信号のフレームレートに設定してもよい。
【００７７】
このように、フレームレート設定部１３は、複数の映像信号の一部又は全部が示す映像が、複数の映像信号に対応する結合映像を構成する場合に、上記複数の映像信号の示す映像を同一画面に表示させる場合のフレームレートを、上記結合映像に対応する何れかの映像信号のフレームレートに設定してもよい。
また、表示画面内に上述した結合映像が複数存在する場合、フレームレート設定部１３は、共通フレームレートを、最も多くの映像信号に対応する結合映像のフレームレートに設定してもよい。上記の構成によれば、上記結合映像の映像品位の低下を抑制できる。
【００７８】
〔実施形態４〕
本実施形態においては、共通フレームレートを、ユーザの操作対象である画面あるいは映像に対応する映像信号のフレームレートに設定する構成について説明する。便宜上、上記実施形態にて説明した部材と同じ機能を有する部材については、同じ符号を付記し、説明を省略する。
【００７９】
本実施形態においても図１に示す構成を用いる。ただし、本実施形態に係る取得部１２は、後述する図１０の各図に示される画面数に等しい数の映像信号を取得する。また、当該映像信号の取得元はテレビジョン受像機１の内部と外部とのどちらでもよい。
【００８０】
図１０の各図は、表示されている何れかの画面がユーザの操作対象である場合の例を示す図である。ここで、ユーザの操作対象である画面とは、当該画面に表示されたテキストあるいはオブジェクト等を、例えばリモコン操作等によって操作可能な画面を意味する。
【００８１】
ユーザの操作対象となる画面は、特定の画面に限定されず、例えば図１０（ａ）においては、画面６１が操作対象、図１０（ｂ）においては、画面６２が操作対象、図１０（ｃ）においては、画面６３が操作対象となる画面である。
【００８２】
上記の場合において、フレームレート設定部１３は、共通フレームレートを、ユーザの操作対象である画面に対応する映像信号のフレームレートに設定してもよい。
【００８３】
換言すると、フレームレート設定部１３は、複数の映像信号の示す映像を同一画面に表示させる場合のフレームレートを、現時点においてユーザの操作対象である画面に対応する映像信号のフレームレートに設定してもよい。上記の構成によれば、ユーザの操作対象である画面の映像品位の低下を抑制できる。
【００８４】
なお、上述した各実施形態は、他の実施形態と組み合わせて実施されてもよい。
【００８５】
〔ソフトウェアによる実現例〕
映像処理装置１０の制御ブロック（特に取得部１２およびフレームレート設定部１３）は、集積回路（ＩＣチップ）等に形成された論理回路（ハードウェア）によって実現してもよいし、ソフトウェアによって実現してもよい。
【００８６】
後者の場合、映像処理装置１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８７】
〔まとめ〕
本発明の態様１に係る映像処理装置１０は、取得部１２と、フレームレート設定部１３とを備えた映像処理装置１０であって、取得部１２は、フレーム間隔が変動し得る第１の映像信号と、フレーム間隔が変動しない第２の映像信号とを含む複数の映像信号を取得し、フレームレート設定部１３は、上記複数の映像信号の示す映像を同一画面に表示させる場合のフレームレートを、上記複数の映像信号が示す何れかのフレーム間隔に対応するフレームレート、又は、当該フレームレートを定数倍して得られるフレームレートに設定する構成である。上記の構成によれば、ユーザがより注視する画面の映像品位の低下を抑制することができる。
【００８８】
本発明の態様２に係る映像処理装置１０は、上記の態様１において、フレームレート設定部１３は、上記第２の映像信号のフレームレートが所定の閾値に満たない場合、上記複数の映像信号の示す映像を同一画面に表示させる場合のフレームレートを、上記第１の映像信号のフレームレート、又は予め設定された所定のフレームレートに設定する構成としてもよい。上記の構成によれば、上記閾値以上のフレームレートによって映像が表示されるので、過剰なフレームレートの低下による映像品位の低下を抑制できる。
【００８９】
本発明の態様３に係る映像処理装置１０は、上記の態様１において、フレームレート設定部１３は、上記第２の映像信号のフレームレートが所定の閾値に満たない場合、上記複数の映像信号の示す映像を同一画面に表示させる場合のフレームレートを、当該フレームレートを定数倍して得られるフレームレートであって、上記閾値以上となるフレームレートに設定する構成としてもよい。上記の構成によれば、態様２と同様な効果を奏する。
【００９０】
本発明の態様４に係る映像処理装置１０は、上記の態様１において、フレームレート設定部１３は、上記複数の映像信号の示す映像を同一画面に表示させた場合の、各映像が画面に占める面積比に応じて、設定するフレームレートを決定する構成としてもよい。上記の構成によれば、面積比が大きい、メインとなる画面の映像品位の低下を抑制できる。
【００９１】
本発明の態様５に係る映像処理装置１０は、上記の態様１において、フレームレート設定部１３は、上記複数の映像信号の示す映像を同一画面に表示させる場合のフレームレートを、現時点においてユーザの操作対象である画面に対応する映像信号のフレームレートに設定する構成としてもよい。上記の構成によれば、ユーザの操作対象である画面の映像品位の低下を抑制できる。
【００９２】
本発明の態様６に係る映像処理装置１０は、上記の態様１において、フレームレート設定部１３は、上記複数の映像信号にフレーム間隔が変動しない映像信号が複数含まれる場合に、上記複数の映像信号の示す映像を同一画面に表示させる場合のフレームレートを、上記フレーム間隔が変動しない映像信号のうち、最も高いフレームレートを有する映像信号のフレームレートに設定する構成としてもよい。上記の構成によれば、フレーム間隔が変動しない映像信号が示す映像の映像品位の低下を抑制できる。
【００９３】
本発明の態様７に係る映像処理装置１０は、上記の態様１において、フレームレート設定部１３は、上記複数の映像信号の一部又は全部が示す映像が、複数の映像信号に対応する結合映像を構成する場合に、上記複数の映像信号の示す映像を同一画面に表示させる場合のフレームレートを、上記結合映像に対応する何れかの映像信号のフレームレートに設定する構成としてもよい。上記の構成によれば、上記結合映像の映像品位の低下を抑制できる。
【００９４】
本発明の態様８に係る映像処理方法は、装置によって実行される映像処理方法であって、フレーム間隔が変動し得る第１の映像信号と、フレーム間隔が変動しない第２の映像信号とを含む複数の映像信号を取得する取得ステップと、上記複数の映像信号の示す映像を同一画面に表示させる場合のフレームレートを、上記複数の映像信号が示す何れかのフレーム間隔に対応するフレームレート、又は、当該フレームレートを定数倍して得られるフレームレートに設定するフレームレート設定ステップと、を含む方法である。上記の方法によれば、ユーザがより注視すると推定される表示領域の映像品位の低下を抑制することができる。
【００９５】
本発明の態様９に係る映像処理装置１０を備えていることを特徴とするテレビジョン受像機１は、上記の態様１から７までの何れかに記載の映像処理装置１０を備えている構成としてもよい。上記の構成によれば、映像処理装置１０と同様な効果を奏するテレビジョン受像機１を実現できる。
【００９６】
本発明の態様１０に係る制御プログラムは、上記の態様１から７までの何れかに記載の映像処理装置１０としてコンピュータを機能させるための制御プログラムであって、上記コンピュータを取得部１２及びフレームレート設定部１３として機能させる構成としてもよい。
【００９７】
本発明の態様１１に係る記録媒体は、態様１０に係る制御プログラムを記録したコンピュータ読み取り可能な記録媒体であってもよい。
【００９８】
本発明の各態様に係る映像処理装置１０は、コンピュータによって実現してもよく、この場合には、コンピュータを映像処理装置１０が備える各部（ソフトウェア要素）として動作させることにより映像処理装置１０をコンピュータにて実現させる映像処理装置１０の制御プログラム、およびそれを記録したコンピュータ読み取り可能な記録媒体も、本発明の範疇に入る。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１００】
１  テレビジョン受像機
２  テレビ制御部
３  表示制御部
４  ＯＳＤ生成部
５  表示部
１０  映像処理装置
１１  装置制御部
１２  取得部
１３  フレームレート設定部
１００  映像出力装置
【図１】
2019186767.tif 000003
【図２】
2019186767.tif 000004
【図３】
2019186767.tif 000005
【図４】
2019186767.tif 000006
【図５】
2019186767.tif 000007
【図６】
2019186767.tif 000008
【図７】
2019186767.tif 000009
【図８】
2019186767.tif 000010
【図９】
2019186767.tif 000011
【図１０】
2019186767.tif 000012